(57)【要約】【課題】ある商品の広告主が店舗に設置する商品の傍らに置かれ、持ち運び自在なグッズカードであって、当該店舗の顧客を当該商品のオンラインショップに誘導した場合に、売上に応じて紹介料の算出を可能とするグッズカード及び当該グッズカードを用いた販売促進システムを提供する。【解決手段】購入対象となる実商品の傍らに、商品購入のためのアクセス先情報と共に、広告主の情報と一体となった商品情報が掲載されたカード（グッズカード）を備えるようにし、商品購入のためのアクセス先にアクセスして商品購入の手続を行う際に、商品購入のための商品情報の端末２０への入力がそのまま広告主情報の入力となるように、広告主情報の入力が不可避となるようにした。その広告主情報を元に販売促進システム１は、広告主に支払うべき広告料を算出することができる。【選択図】        図１
2006126948.tif 000002
【特許請求の範囲】
【請求項１】
広告主が設置する設備における商品の傍らに置かれる持ち運び自在なグッズカードと、
ネットワークに接続されたサーバ及びその端末と、からなる販売促進システムであって、
前記サーバは、前記端末から、前記商品を特定する商品情報及び広告主を特定する情報であって該商品情報と一体となって送信される広告主情報を受け付ける購入要求受付手段と、前記商品情報及び前記広告主情報を入力として販売実績情報を生成する販売実績情報生成手段と、前記販売実績情報を入力として前記商品の売主から前記広告主へ支払う紹介料の算出を行う紹介料算出手段と、を少なくとも備え、
前記グッズカードは、前記商品の購入希望者が前記端末から前記サーバにアクセスするために必要な売主アクセス先情報が搭載されるアクセス部と、前記商品情報及び該商品情報と一体となった前記広告主情報が搭載されるリンク部と、を備えていることを特徴とする販売促進システム。
【請求項２】
請求項１に記載の販売促進システムにおいて、前記グッズカードには、前記売主アクセス先情報が前記サーバにアクセスするためのＵＲＬ表示により搭載されるアクセス部を備えていることを特徴とする販売促進システム。
【請求項３】
請求項１に記載の販売促進システムにおいて、前記端末は自動的に情報を読み取る情報読取手段を備え、
前記グッズカードは、前記売主アクセス先情報並びに前記商品情報及び該商品情報と一体となった前記広告主情報が前記情報読取手段により読み取り可能に搭載されるリンク部を備えていることを特徴とする販売促進システム。
【請求項４】
請求項３に記載の販売促進システムにおいて、前記端末がＱＲコードを自動的に読み取るＱＲコード読取手段を備え、
前記グッズカードは、前記売主アクセス先情報並びに前記商品情報及び該商品情報と一体となった前記広告主情報が前記ＱＲコード読取手段により読み取り可能に搭載されるリンク部を備えていることを特徴とする販売促進システム。
【請求項５】
広告主が設置する設備における商品の傍らに置かれる持ち運び自在なグッズカードであって、
前記グッズカードは、前記商品の購入希望者が当該商品を購入する際に必要な情報であって売主のアクセス先を特定する売主アクセス先情報が搭載されるアクセス部と、前記商品を特定する商品情報及び前記広告主を特定する情報であって該商品情報と一体となった広告主情報が搭載されるリンク部を備えていることを特徴とするグッズカード。
【請求項６】
請求項５に記載のグッズカードが置かれた前記設備。
【発明の詳細な説明】
【技術分野】
【０００１】
本発明は、商品の傍らに置かれるグッズカード及び当該グッズカードを用いた販売促進システムに関する。
【背景技術】
【０００２】
従来から、商品を飲食店等の店舗に置いておき、その飲食店等の来店者に宣伝を行い、販売につなげることが行われている。このような店舗においては、飲食店等の来店者は、インテリア商品や小物グッズなどのデザイン性に優れた商品をじっくり鑑賞したり、実際に使用したりすることができる。その来店者が当該商品を気に入った場合には、その店舗で支払いを行い、商品を受け取ることができる。また、別の例では店舗において商品購入の際の連絡先を来店者に伝えておき、後で、該来店者は該商品の売主の運営するオンラインショップにアクセスしたり、通信販売を行う事務所にＦＡＸや電話等で連絡したりして、商品を購入する。
【０００３】
また、オンラインショップにおいては、アフィリエイトプログラムが知られている。これは、オンラインショップの広告を掲載した他人のウエブサイトから顧客が該オンラインショップに誘導されてきた場合に、当該顧客の商品の購入金額に応じてオンラインショップを運営する売主がその他人に紹介料を支払うものである。この仕組みは、オンラインショップを管理しているサーバが、顧客のアクセスの軌跡をログとして記録することによって実現している。しかしながら、上記のようなデザイン性に優れた商品は、ウエブサイトの画面だけでは表現力の制約から十分にその商品性をアピールすることができない。
【０００４】
一方、ファストフード店において、商品メニューと共に設置したオーダーカードが使われている。このオーダーカードには商品を識別する識別情報や価格情報が記録されている。商品の購入希望者は、このオーダーカードをピックアップしてレジスターへ向かい、商品を購入する。レジスターにおいては購入する商品がすでに決まっているので、レジスターでの決済作業がより短時間で済み、レジスターの混雑の緩和に役立っている。
【特許文献１】特開２００４−２０６５６５号公報
【０００５】
また、百貨店のギフト売場においても、商品購入の際にオーダーカードが使われている。このオーダーカードは商品と共に商品棚等に設置されている。商品購入希望者は、商品現物を見て購入する商品を決定し、その商品に対応するオーダーカードをピックアップしてレジスターに持参して商品を購入する。その結果、上記の例と同様にしてレジスターの混雑緩和に役立っている。
【発明の開示】
【発明が解決しようとする課題】
【０００６】
このような状況において、次のような課題が存在している。
【０００７】
まず、上記で説明したとおりデザイン性に優れた商品の販売には、売主の提携先の店舗等における現物の展示は有効な宣伝手段であるものの、このような店舗で支払と商品の受け渡しを行う場合には、ＰＯＳレジ等の設備が必要になる。さらに、商品在庫を店舗側が抱えることになり、在庫スペース等のコストが生じる。さらに売主にとって、在庫がなくなれば販売機会を失うことになる。特にデザイン性に優れた商品は汎用品と違って販売予測は困難とされており、提携先店舗の在庫管理、流通管理を正確に実施することも現実的ではない。
【０００８】
また、商品購入の際の連絡先を店舗から来店者に伝える場合には、その来店者がどの店舗でその商品を知ったのかを正確に追跡することは困難である。これは、購入希望者がオンラインショップで購入の際に該オンラインショップへ誘導した店舗の情報を入力する、という必ずしも正確に行われるとは限らない行為に依存しているからである。その結果、たとえ実際には誘導が行われていても、売主は顧客をオンラインショップに誘導した店舗を知らない場合には、紹介料の支払を行うことができない。
【０００９】
本発明では、このような課題に鑑み、提携先の店舗側におけるＰＯＳレジ等の設備や在庫スペース等を不要にすると共に、在庫切れによる販売機会の損失リスクをより小さくするグッズカードを提供することを目的としている。また、顧客をオンラインショップに誘導した店舗の情報を確実に売主に伝えるグッズカードを提供することを目的としている。
【課題を解決するための手段】
【００１０】
以上のような目的を達成するために、本発明では、購入対象となる実商品の傍らに、商品購入のためのアクセス先情報と共に、広告主の情報と一体となった商品情報が掲載されたカード（グッズカード）を備えるようにし、商品購入のためのアクセス先にアクセスして商品購入の手続を行う際に、商品購入のための入力がそのまま広告主情報の入力となるように、広告主情報の入力が不可避となるようにしたことを特徴とする。より具体的には、以下のようなものを提供する。
【００１１】
（１）  広告主が設置する設備における商品の傍らに置かれる持ち運び自在なグッズカードと、ネットワークに接続されたサーバ及びその端末と、からなる販売促進システムであって、前記サーバは、前記端末から、前記商品を特定する商品情報及び広告主を特定する情報であって該商品情報と一体となって送信される広告主情報を受け付ける購入要求受付手段と、前記商品情報及び前記広告主情報を入力として販売実績情報を生成する販売実績情報生成手段と、前記販売実績情報を入力として前記商品の売主から前記広告主へ支払う紹介料の算出を行う紹介料算出手段と、を少なくとも備え、前記グッズカードは、前記商品の購入希望者が前記端末から前記サーバにアクセスするために必要な売主アクセス先情報が搭載されるアクセス部と、前記商品情報及び該商品情報と一体となった前記広告主情報が搭載されるリンク部と、を備えていることを特徴とする販売促進システム。
【００１２】
（１）の発明によれば次のようなことが実現する。即ち、オンラインショップを運営して商品を販売する売主は、飲食店等の店舗と提携してその商品を実際に店内に設置してもらい、その商品の付近に当該グッズカードを置いておく。その商品を気に入った店舗の来店者は、当該グッズカードを一枚ずつ持ち帰ることができ、当該グッズカードに記録されたオンラインショップのアクセス先情報やグッズコードを携帯電話やＰＣに入力することによって実際に購入することができる。当該グッズコードは商品を特定する商品情報と広告主を特定する広告主情報が一体となって記載されたものであるため、広告主情報は商品情報と必ず同時に入力されることになる。売主は一体となって送られてきた商品情報と広告主情報を参照することによって、その商品がどの店舗を経由して購入されたのかを追跡調査でき、広告主へ紹介料を支払うことが可能となる。店舗にとっては、そのような商品を無料で使用することができ、商品が売れた場合には紹介料を受け取ることができる。その結果、売主はデザイン性に優れた商品を効果的に宣伝し販売につなげることができる。
【００１３】
なお、上記オンラインショップはＦＡＸ、電話による通信販売に置き換えることも可能である。この場合、当該売主アクセス先情報はその通信販売事務所へのＦＡＸ番号、電話番号となる。
【００１４】
また、上記グッズカードは特定の商品に限らず複数の商品の購入のための情報が記録されたカタログに置き換えることも可能である。この場合、売主はカタログに記載された全ての商品を店舗に設置する必要はなく、色違い商品や共通デザインを商品の一部に含むシリーズものなどをあわせて販売することができる。
【００１５】
なお、（１）に記載の発明は別の見方をすれば、広告主が設置する設備における商品の傍らに置かれる持ち運び自在なグッズカードと、ネットワークに接続されたサーバ及びその端末と、からなる販売促進システムであって、前記サーバは、前記端末から、前記商品を特定する商品情報及び広告主を特定する情報であって該商品情報の一部として送信される広告主情報を受け付ける購入要求受付手段と、前記商品情報及び前記広告主情報を入力として販売実績情報を生成する販売実績情報生成手段と、前記販売実績情報を入力として前記商品の売主から前記広告主へ支払う紹介料の算出を行う紹介料算出手段と、を少なくとも備え、前記グッズカードは、前記商品の購入希望者が前記端末から前記サーバにアクセスするために必要な売主アクセス先情報が搭載されるアクセス部と、前記商品情報及び該商品情報の一部として前記広告主情報が搭載されるリンク部と、を備えていることを特徴とする販売促進システム、とすることもできる。
【００１６】
（２）  （１）に記載の販売促進システムにおいて、前記グッズカードには、前記売主アクセス先情報が前記サーバにアクセスするためのＵＲＬ表示により搭載されるアクセス部を備えていることを特徴とする販売促進システム。
【００１７】
（２）の発明によれば、その商品を気に入った来店者はこのＵＲＬを携帯電話やＰＣに入力することによってオンラインショップを管理するサーバへアクセスすることが可能になる。
【００１８】
（３）  （１）に記載の販売促進システムにおいて、前記端末は自動的に情報を読み取る情報読取手段を備え、前記グッズカードは、前記売主アクセス先情報並びに前記商品情報及び該商品情報と一体となった前記広告主情報が前記情報読取手段により読み取り可能に搭載されるリンク部を備えていることを特徴とする販売促進システム。
【００１９】
（３）の発明によれば、携帯電話やＰＣに備わった情報読取手段により自動的に商品購入のための情報を読み取ることができるので、その商品を気に入った来店者はこれらの情報をボタンやキーボードで入力する手間を省くことができる。
【００２０】
なお、（３）に記載の発明は別の見方をすれば、（１）に記載の販売促進システムにおいて、前記端末は自動的に情報を読み取る情報読取手段を備え、前記グッズカードは、前記売主アクセス先情報並びに前記商品情報及び該商品情報の一部として前記広告主情報が前記情報読取手段により読み取り可能に搭載されるリンク部を備えていることを特徴とする販売促進システム、とすることもできる。
【００２１】
（４）  （３）に記載の販売促進システムにおいて、前記端末がＱＲコードを自動的に読み取るＱＲコード読取手段を備え、前記グッズカードは、前記売主アクセス先情報並びに前記商品情報及び該商品情報と一体となった前記広告主情報が前記ＱＲコード読取手段により読み取り可能に搭載されるリンク部を備えていることを特徴とする販売促進システム。
【００２２】
（４）の発明によれば、その商品を気に入った来店者は、ＱＲコードをＱＲコード対応携帯電話やＰＣに付属のスキャナで読み取るだけで即オンラインショップのその商品の購入ページにアクセスできるため、商品情報や広告主情報をボタンやキーボードで入力する手間を省くことができる。
【００２３】
なお、（４）に記載の発明は別の見方をすれば、（３）に記載の販売促進システムにおいて、前記端末がＱＲコードを自動的に読み取るＱＲコード読取手段を備え、前記グッズカードは、前記売主アクセス先情報並びに前記商品情報及び該商品情報の一部として前記広告主情報が前記ＱＲコード読取手段により読み取り可能に搭載されるリンク部を備えていることを特徴とする販売促進システム、とすることもできる。
【００２４】
（５）  広告主が設置する設備における商品の傍らに置かれる持ち運び自在なグッズカードであって、前記グッズカードは、前記商品の購入希望者が当該商品を購入する際に必要な情報であって売主のアクセス先を特定する売主アクセス先情報が搭載されるアクセス部と、前記商品を特定する商品情報及び前記広告主を特定する情報であって該商品情報と一体となった広告主情報が搭載されるリンク部を備えていることを特徴とするグッズカード。
【００２５】
（５）の発明によれば、ある商品の広告主が設置したある商品が購入された場合に、この商品の売主は、一体となって記載された商品情報と広告主情報を読み取る事によって、広告主に紹介料を支払うことが可能となる。
【００２６】
なお、（５）に記載の発明は別の見方をすれば、広告主が設置する設備における商品の傍らに置かれる持ち運び自在なグッズカードであって、前記グッズカードは、前記商品の購入希望者が当該商品を購入する際に必要な情報であって売主のアクセス先を特定する売主アクセス先情報が搭載されるアクセス部と、前記商品を特定する商品情報及び前記広告主を特定する情報であって該商品情報の一部として広告主情報が搭載されるリンク部を備えていることを特徴とするグッズカード、とすることもできる。
【００２７】
（６）  （５）に記載のグッズカードが置かれた前記設備。
【００２８】
（６）の発明によれば、（５）の発明と同様の効果が期待できる。
【発明の効果】
【００２９】
以上説明した、この発明によれば、以下の効果が期待できる。
（ア）店舗側でのＰＯＳレジ等の設備や在庫スペース等が不要になる。その結果、ＰＯＳレジ等の設備のない店舗にも商品を設置することが可能となり、売主は設備にとらわれずに提携先の店舗を広げることが可能となる。
（イ）在庫切れによる販売機会の損失リスクがより小さくなる。
（ウ）結果として、売主はデザイン性に優れた商品を店舗で展示することにより効果的に宣伝し、販売につなげることができる。
【発明を実施するための最良の形態】
【００３０】
以下、本発明を実施するための最良の形態について図を参照しながら説明する。
【００３１】
図１は、本発明に係るグッズカードの実施例を示す図である。このグッズカードは名刺サイズで持ち歩き自在な大きさである。当該グッズカードの表面には商品名、商品の写真、商品の解説、値段が記載されており、裏面には売主であるオンラインショップ名、購入の説明、オンラインショップのＵＲＬ、グッズコード、ＱＲコード、商品及びグッズカードを設置している店舗名が記載されている。グッズコードは店舗を特定する店舗情報及び商品を特定する商品情報で構成されている。もちろん、本発明に係るグッズカードはこの実施例に限られるものではなく、各情報のレイアウトや形式、記載の採否、カードの大きさ、色、形等の変更は自由である。
【００３２】
図２は、本発明に係るグッズコードの実施例を示す図である。このグッズコードは上記のように店舗を特定する店舗情報及び商品を特定する商品情報で構成されている。ここで、当該店舗情報は４桁の数字もしくは英数字で表された店舗コードで構成されている。また、当該商品情報は４桁の数字もしくは英数字で表された商品コードで構成されている。このグッズコードは、同一の店舗に設置される同一の商品に対してユニークであればよく、同一のグッズコードが記載された複数のグッズカードが後述するカードフォルダに入れられて商品の傍らに設置される。もちろん、本発明に係るグッズコードはこの実施例に限られるものではなく、店舗コード及び商品コードの桁数、表示に使う文字、並び方、結合の方法等の変更は自由である。また、エラーチェックのためのパリティコードを挿入したり、商品の展示時期や店舗内の展示場所等の付加情報を加えたりすることも自由である。
【００３３】
図３は、本発明に係るＱＲコードの実施例を示す図である。このＱＲコードはオンラインショップの所定の商品の購入ページのＵＲＬを光学的なパターンとして表現したものであり、ＱＲコード対応の携帯電話を使う場合は、このＱＲコードをスキャンすることにより即その商品の購入ページにアクセスできる。もちろん、ＱＲコードの内容はこれに限られるものではなく、商品説明ページのＵＲＬ、アンケートやキャンペーンページのＵＲＬ、オンラインショップの会員申し込みページのＵＲＬなど様々な内容であってもよい。また、ＱＲコードそのものもバーコードなど他の光学的な表現に変更することも自由である。
【００３４】
図４は、本発明に係るグッズカードを設置する際に用いるカードフォルダの実施例を示す図である。このカードフォルダはグッズカードを５０枚程度設置できるもので、カードフォルダにも商品の情報が記載されている。通常はこのカードフォルダにグッズカードを入れて商品の付近に設置して使用される。もちろん、カードフォルダの容量や形、色、記載される情報はこれに限られるものではない。カード補充要求をオンラインショップ側に依頼するためのＱＲコードやバーコードを記載しておいてもよい。
【００３５】
図５は、本発明に係るオンラインショップの商品の購入ページの画面遷移の実施例を示す図である。グッズカードに記載されたＵＲＬを携帯電話の入力ボタンやＰＣのキーボードで入力した場合、グッズコードの入力画面が表示される。次にグッズカードに記載されたグッズコードを入力すると、商品確認画面に推移する。また、商品の購入ページのＵＲＬを表すＱＲコードをＱＲコード対応の携帯電話或いはＰＣのスキャナやＣＣＤカメラで読み取った場合、商品確認画面が直接表示される。商品確認画面では、「詳細」ボタンを押下することによって商品紹介ページに推移する。また、「他にも購入する」ボタンを押下することによって商品選択ページに推移する。また、「レジに進む」ボタンを押下することによってレジ会計画面に推移する。
【００３６】
図６は、本発明に係るグッズカードを用いた商品購入、紹介料支払いのプロセスを示すブロック図である。まずユーザは店舗に来店し、商品を鑑賞し、或いは使用し、気に入った商品のグッズカードを持ち帰る。次に、グッズカードに記載されたオンラインショップのＵＲＬに基づいて同オンラインショップにアクセスし、商品を購入する。次にその購入に基づいて、オンラインショップの運営者は店舗に紹介料を支払う。
【００３７】
図７は、本発明に係るグッズカードを設置する店舗側で販売状況などを確認するための店舗管理画面の実施例を示す図である。ＩＤ、パスワード等を要求するログイン画面を経て、店舗の担当者は売上状況や支払い状況等の各種レポートを随時確認できるだけでなく、店舗名、住所、電話番号、振込先など、店舗に関する情報の変更を申請することもできる。もちろんこの他にもグッズカードの補充依頼や、新商品の設置申請などのページを提供することもできる。
【００３８】
図８は、本発明に係るオンラインショップを運営する販売促進システム１の実施例を示すブロック図である。サーバ１０および端末２０はネットワークＮに接続されている。図９に示すように、サーバ１０はＣＰＵ１１０、メモリ１１１、記憶装置１１２、表示装置１１３、入力装置１１４を備えており、インターフェース１１５を介してネットワークＮに接続されている。記憶装置１１２には商品コード、店舗コード、商品の価格、売上実績情報、紹介料、紹介料支払い情報、紹介料率などが記憶されている。さらに、記憶装置１１２には各種ソフトウエアプログラムが記憶されており、ＣＰＵ１１０は、これらのソフトウエアプログラムを読み出して実行することにより、上記ハードウエア資源と協働して各種処理を行う。このことにより、ＣＰＵ１１０は、購入要求受付手段、販売実績情報生成手段、紹介料算出手段として機能する。図１０に示すように、端末２０はＣＰＵ２１０、メモリ２１１、記憶装置２１２、ＣＣＤカメラ２１３、表示装置２１４、入力装置２１５を備えており、インターフェース２１６を介してネットワークＮに接続されている。さらに、記憶装置２１２には各種ソフトウエアプログラムが記憶されており、ＣＰＵ２１０は、これらのソフトウエアプログラムを読み出して実行することにより、上記ハードウエア資源と協働して各種処理を行う。このことにより、ＣＰＵ２１０は、情報読取手段として機能する。端末２０は携帯電話でもＰＣでもよく、端末２０が携帯電話の場合には入力装置２１５は入力ボタン等で構成され、端末２０がＰＣの場合には入力装置２１５はキーボードやマウス等で構成される。
【００３９】
なお、ネットワークＮは商品の購入要求などの情報が送受信できるネットワークであればよく、インターネットでも、ネットワークＮの一部又は全部が無線通信ネットワークで実現されていてもよい。
【００４０】
図１１は、本発明に係るグッズカードを用いて商品の購入要求を送信してから紹介料の算出を行うまでのプロセスの実施例を示すメインフローチャートである。まず購入要求処理（ＳＴ１）を行う。その後、販売実績情報生成処理を行う（ＳＴ２）。その後、紹介料算出処理を行う（ＳＴ３）。
【００４１】
図１２は、購入要求処理のプロセスの詳しい実施例を示すフローチャートである。端末２０側の処理を左側に、サーバ１０側の処理を右側に示す。まず、端末２０はある商品の傍らに設置されたグッズカードに記載されたショッピングサイトのＵＲＬの、購入希望者による入力を、入力装置２１５により受け付けてサーバ１０に送信する（ＳＴ１０１）。次に、サーバ１０は当該送信されたＵＲＬに対応するショッピングサイトのページの内容を端末２０へ送信する（ＳＴ１０２）。次に、端末２０は当該送信されたショッピングサイトのページを表示装置２１４に表示させる（ＳＴ１０３）。次に、端末２０は当該グッズカードに記載されたグッズコードの、購入希望者による入力を、入力装置２１５により受け付けてサーバ１０に送信する（ＳＴ１０４）。なお、当該グッズコードは対応する商品のグッズカードを設置した提携先店舗を特定する４桁の店舗コード及びその商品を特定する４桁の商品コードからなっている。次に、サーバ１０は当該送信されたグッズコードを受信し、記憶装置１１２に記憶する（ＳＴ１０５）。次に、サーバ１０は当該商品の確認画面の内容を端末２０へ送信する（ＳＴ１０６）。次に、端末２０は当該送信された当該商品の確認画面を表示装置２１４に表示させる（ＳＴ１０７）。
【００４２】
図１３は、販売実績情報生成処理のプロセスの詳しい実施例を示すフローチャートである。端末２０側の処理を左側に、サーバ１０側の処理を右側に示す。まず、端末２０は当該商品の確認画面において、購入希望者による「レジに進む」ボタンの押下を、入力装置２１５により受け付けてサーバ１０へ送信する（ＳＴ２０１）。次に、サーバ１０は当該商品に対応するレジ画面の内容を端末２０へ送信する（ＳＴ２０２）。次に、端末２０は当該送信された当該商品に対応するレジ画面を表示装置２１４により表示させる（ＳＴ２０３）。端末２０は当該商品の購入数量などの、購入希望者による入力を、入力装置２１５により受け付けてサーバ１０へ送信する（ＳＴ２０４）。次に、サーバ１０は当該送信された購入数量の情報を記憶装置１１２に記憶する（ＳＴ２０５）。
【００４３】
図１４は、紹介料算出処理のプロセスの詳しい実施例を示すフローチャートである。まず、サーバ１０は記憶装置１１２に記憶されたグッズコード及び購入数量の情報のうちある月に属するものを読み出す（ＳＴ３０１）。次に、サーバ１０は当該読み出したグッズコードを店舗コードと商品コードに分解し、購入数量と共に店舗コード毎にまとめてメモリ１１１に展開して店舗毎かつ商品毎の売上高を算出する（ＳＴ３０２）。次に、サーバ１０は当該店舗コード毎、当該商品コード毎、或いはその組合せ毎にあらかじめ決められて記憶装置１１２に記憶してある紹介料率を当該店舗毎かつ商品毎の売上高に掛けて店舗毎かつ商品毎の紹介料を算出する（ＳＴ３０３）。次に、サーバ１０は店舗毎に紹介料を集計し、当該月にショッピングサイトを運営する売主が当該店舗に支払うべき紹介料を算出する（ＳＴ３０４）。
【００４４】
図１５は、購入要求処理のプロセスの別の実施例を示すフローチャートである。この実施例ではＱＲコードに対応した携帯電話を端末２０として用いる。端末側の処理を左側に、サーバ１０側の処理を右側に示す。まず、端末２０はある商品の傍らに設置されたグッズカードに記載されたＱＲコードの、購入希望者による読み取り命令の入力を、入力装置２１５により受け付ける（ＳＴ４０１）。次に、端末２０は記憶装置２１２に記憶されたソフトウエアプログラムに基づいてＣＰＵ２１０がＣＣＤカメラ２１３などのハードウエア資源を動作させることによって当該ＱＲコードを自動的に読み取ってサーバ１０に送信する（ＳＴ４０２）。なお、この実施例では、当該グッズカードには当該商品の確認画面のＵＲＬ及びグッズコードが当該ＱＲコードにより記載されているため、端末２０は当該ＵＲＬとグッズコードをサーバ１０に送信することになる。ここで、当該グッズコードは当該商品のグッズカードを設置した提携先店舗を特定する４桁の店舗コード及びその商品を特定する４桁の商品コードからなっている。次に、サーバ１０は当該送信されたグッズコードを受信し、記憶装置１１２に記憶する（ＳＴ４０３）。次に、サーバ１０は当該送信されたＵＲＬに対応する当該商品の確認画面の内容を端末２０へ送信する（ＳＴ４０４）。次に、端末２０は当該送信された当該商品の確認画面を表示装置２１４に表示させる（ＳＴ４０５）。以上説明したとおり、この実施例ではＱＲコード対応の携帯電話を端末２０として用いることにより、グッズコードを入力ボタンで入力する手間を省くことができる。
【図面の簡単な説明】
【００４５】
【図１】本発明に係るグッズカードの実施例を示す図である。
【図２】本発明に係るグッズコードの実施例を示す図である。
【図３】本発明に係るＱＲコードの実施例を示す図である。
【図４】本発明に係るグッズカードを設置する際に用いるカードフォルダの実施例を示す図である。
【図５】本発明に係るオンラインショップの商品の購入ページの画面遷移の実施例を示す図である。
【図６】本発明に係るグッズカードを用いた商品購入、紹介料支払いのプロセスを示すブロック図である。
【図７】本発明に係るグッズカードを設置する店舗側で販売状況などを確認するための店舗管理画面の実施例を示す図である。
【図８】本発明に係るオンラインショップを運営するシステムのブロック図である。
【図９】本発明に係るサーバ１０の構成を示すブロック図である。
【図１０】本発明に係る端末２０の構成を示すブロック図である。
【図１１】本発明に係るグッズカードを用いて商品の購入要求を送信してから紹介料の算出を行うまでのプロセスの実施例を示すメインフローチャートである。
【図１２】購入要求処理のプロセスの詳しい実施例を示すフローチャートである。
【図１３】販売実績情報生成処理のプロセスの詳しい実施例を示すフローチャートである。
【図１４】紹介料算出処理のプロセスの詳しい実施例を示すフローチャートである。
【図１５】購入要求処理のプロセスの別の実施例を示すフローチャートである。
【符号の説明】
【００４６】
１０                    サーバ
１１０                  ＣＰＵ
１１１                  メモリ
１１２                  記憶装置
１１３                  表示装置
１１４                  入力装置
１１５                  インターフェース
１１６                  バス
２０                    端末
２１０                  ＣＰＵ
２１１                  メモリ
２１２                  記憶装置
２１３                  ＣＣＤカメラ
２１４                  表示装置
２１５                  入力装置
２１６                  インターフェース
２１７                  バス
Ｎ                      ネットワーク
【図１】
2006126948.tif 000003
【図２】
2006126948.tif 000004
【図３】
2006126948.tif 000005
【図４】
2006126948.tif 000006
【図５】
2006126948.tif 000007
【図６】
2006126948.tif 000008
【図７】
2006126948.tif 000009
【図８】
2006126948.tif 000010
【図９】
2006126948.tif 000011
【図１０】
2006126948.tif 000012
【図１１】
2006126948.tif 000013
【図１２】
2006126948.tif 000014
【図１３】
2006126948.tif 000015
【図１４】
2006126948.tif 000016
【図１５】
2006126948.tif 000017